(57)【要約】【課題】構内通信網から広域通信網へデータを伝送する際に、広域通信網側の状況に応じたトラフィック優先制御を行うこと。【解決手段】トラフィック優先制御を行うための設定情報を格納したテーブル１４１，１４２，１４３，１４４を、ＷＡＮ側の伝送帯域等の状況に対応して複数有している。そして、ＷＡＮ側の複数の物理回線３１，３２，３３，３４を束ねて仮想的に１本の大容量帯域の回線３として扱い、このＷＡＮ側の仮想的な大容量回線３へＬＡＮ側からデータを転送する際に、監視部１３によりＷＡＮ側の伝送帯域等を監視し、ＱｏＳ制御部１５によりＷＡＮ側の伝送帯域等に応じたテーブルを選択してトラフィック優先制御を行う。【選択図】図１
2007116284.tif 000002
【特許請求の範囲】
【請求項１】
構内通信網から広域通信網へデータを伝送する伝送装置であって、
構内通信網からデータを受信する構内通信網側インタフェースと、
広域通信網へデータを送信する広域通信網側インタフェースと、
広域通信網の情報を取得する監視部と、
トラフィック優先制御を行うための設定情報を格納する複数のテーブルを記憶した記憶部と、
前記記憶部に記憶された複数のテーブルの中から、前記監視部の取得情報に対応するテーブルを選択し、該テーブルに基づいて、前記構内通信網側インタフェースから前記広域通信網側インタフェースへ送られるデータに対して、トラフィック優先制御を行うＱｏＳ制御部と、
を備えることを特徴とする伝送装置。
【請求項２】
前記広域通信網は、複数の物理回線を有し、
前記広域通信網側インタフェースは、複数の前記物理回線を束ねて仮想的に１本の大容量帯域の回線として扱うことを特徴とする請求項１に記載の伝送装置。
【請求項３】
前記記憶部には、複数の前記物理回線のうちの１本または２本以上の物理回線の組み合わせにより実現される仮想的な回線の帯域に対応するテーブルが記憶されていることを特徴とする請求項２に記載の伝送装置。
【請求項４】
前記広域通信網は、相反する向きにデータを転送可能なリング型通信網であり、
前記広域通信網側インタフェースは、前記リング型通信網に対して正逆いずれの向きにもデータを出力することを特徴とする請求項１に記載の伝送装置。
【請求項５】
前記記憶部には、前記リング型通信網のトポロジの種類に対応するテーブルが記憶されていることを特徴とする請求項４に記載の伝送装置。
【発明の詳細な説明】
【技術分野】
【０００１】
この発明は、構内通信網（以下、ＬＡＮとする。ＬＡＮ：Ｌｏｃａｌ  Ａｒｅａ  Ｎｅｔｗｏｒｋ）から広域通信網（以下、ＷＡＮとする。ＷＡＮ：Ｗｉｄｅ  Ａｒｅａ  Ｎｅｔｗｏｒｋ）へデータを伝送する伝送装置に関し、特にＬＡＮからＷＡＮへトラフィック優先制御を行ってデータを送信する伝送装置に関する。
【背景技術】
【０００２】
従来、ＬＡＮからＷＡＮへデータを伝送する伝送装置として、新たなフレーム転送要求が発生した時、ＬＡＮ間のトラフィック量を監視する監視手段と、トラフィック量に基づいてＬＡＮ間通信に必要となる帯域を求める帯域算出手段と、該求めた帯域を満足するようにＬＡＮ間通信に使用する回線の本数を増加する回線増加手段を有するＬＡＮ・ＷＡＮ接続装置が公知である。また、ＬＡＮ間のトラフィック量を監視する監視手段と、トラフィック量に基づいてＬＡＮ間通信に使用する回線の本数を増加あるいは減少あるいは維持する回線増減手段を有するＬＡＮ・ＷＡＮ接続装置が公知である（例えば、特許文献１参照。）。
【０００３】
【特許文献１】特開平６−３３４６６０号公報
【発明の開示】
【発明が解決しようとする課題】
【０００４】
しかしながら、上記特許文献１に開示されたＬＡＮ・ＷＡＮ接続装置のように、複数の物理回線を束ねて仮想的に１本の大容量帯域の回線として扱うリンクアグリゲーションなどに用いられる装置では、ＱｏＳ（Ｑｕａｌｉｔｙ  ｏｆ  Ｓｅｒｖｉｃｅ）による帯域優先制御を行うと、ＷＡＮ側の仮想的な回線の帯域に応じた柔軟な制御ができないため、次のような問題が生じる。すなわち、ＷＡＮ側の物理回線に障害が発生したり、あるいはその他の原因により一部の物理回線が使用できなくなると、ＷＡＮ側の仮想的な回線の伝送帯域が減少する。
【０００５】
しかし、従来のＱｏＳによる帯域優先制御では、実際に伝送帯域が減少しているにもかかわらず、ＷＡＮ側の仮想的な回線に対して障害発生前と同等の帯域を期待して優先制御が行われる。そのため、ＬＡＮ側から入力され、ＱｏＳによって優先制御が実施されてＷＡＮ側へ出力されるデータのトラフィック量が、ＷＡＮ側の実際の帯域を超えることがある。ＷＡＮ側へのトラフィック量が過大になると、正常に優先制御ができなくなり、伝送遅延が増大したり、パケット欠けが発生してしまう。
【０００６】
この発明は、上述した従来技術による問題点を解消するため、ＷＡＮ側の回線の状況に応じたトラフィック優先制御を行ってＬＡＮ側からＷＡＮ側へデータを伝送する伝送装置を提供することを目的とする。
【課題を解決するための手段】
【０００７】
上述した課題を解決し、目的を達成するため、本発明にかかる伝送装置は、トラフィック優先制御を行うための設定情報を格納したテーブルを、ＷＡＮ側の伝送帯域等の状況に対応して複数有している。そして、ＷＡＮ側の複数の物理回線を束ねて仮想的に１本の大容量帯域の回線として扱い、このＷＡＮ側の仮想的な大容量回線へＬＡＮ側からデータを転送する際に、監視部によりＷＡＮ側の伝送帯域等を監視し、ＱｏＳ制御部によりＷＡＮ側の伝送帯域等に応じたテーブルを選択してトラフィック優先制御を行う。
【０００８】
この発明によれば、ＷＡＮ側の物理回線に障害等が発生してＷＡＮ側の仮想的な回線の帯域が減少した場合に、その帯域の変化に応じてトラフィック優先制御を行うことができるので、伝送遅延やパケット欠けを発生させることなく、ＬＡＮ側からＷＡＮ側へデータを伝送させることができる。
【０００９】
また、本発明にかかる伝送装置は、トラフィック優先制御を行うための設定情報を格納したテーブルを、ＷＡＮ側のトポロジ等の状況に対応して複数有している。そして、ＷＡＮ側のリング型通信網へＬＡＮ側からデータを転送する際に、監視部によりＷＡＮ側の伝送帯域等を監視し、ＱｏＳ制御部によりＷＡＮ側のトポロジがリング型である場合にリング型に対応したテーブルを選択し、ＷＡＮ側のトポロジがカスケード型である場合にはカスケード型に対応したテーブルを選択してトラフィック優先制御を行う。
【００１０】
この発明によれば、ＷＡＮ側の回線に障害等が発生してＷＡＮ側の回線がリング型からカスケード型に移行し、一方向にのみデータの伝送が可能な状態になった場合に、カスケード型の通信網に対してトラフィック優先制御を行うことができるので、伝送遅延やパケット欠けを発生させることなく、ＬＡＮ側からＷＡＮ側へデータを伝送させることができる。
【発明の効果】
【００１１】
本発明にかかる伝送装置によれば、ＷＡＮ側の回線の状況に応じたトラフィック優先制御を行ってＬＡＮ側からＷＡＮ側へデータを伝送することができるという効果を奏する。
【発明を実施するための最良の形態】
【００１２】
以下に添付図面を参照して、この発明にかかる伝送装置の好適な実施の形態を詳細に説明する。
【００１３】
（実施の形態１）
実施の形態１は、本発明の伝送装置を、ＷＡＮの複数の物理回線を束ねて仮想的に１本の大容量帯域の回線として扱うリンクアグリゲーションに適用したものである。ここでは、一例として、ＷＡＮの各物理回線の帯域が例えば１００Ｍｂｐｓであり、その物理回線が例えば４本束ねられて４００Ｍｂｐｓの仮想的な回線として扱われる場合について説明する。以下、ＷＡＮの仮想的な回線を仮想回線と称する。
【００１４】
図１は、本発明の実施の形態１にかかる伝送装置の構成を示す構成図である。図１に示すように、伝送装置１は、ＬＡＮ側インタフェース１１、ＷＡＮ側インタフェース１２、監視部１３、記憶部１４、ＱｏＳ制御部１５および多重／分離部１６を備えている。
【００１５】
ＬＡＮ側インタフェース１１は、ＬＡＮ側の回線２に対するインタフェースであり、ＬＡＮ側の回線２との間でデータの授受を行う。ＬＡＮがイーサネット（登録商標）で構築されている場合には、ＬＡＮ側インタフェース１１はイーサネット（登録商標）インタフェースとなる。
【００１６】
ＷＡＮ側インタフェース１２は、公衆回線やパケット網や専用線網等のＷＡＮ側の仮想回線３に対するインタフェースであり、その仮想回線３に束ねられた例えば４本の物理回線３１，３２，３３，３４のそれぞれとの間でデータの授受を行う第１〜第４のインタフェース１２１，１２２，１２３，１２４を有する。監視部１３は、多重／分離部１６を介してＷＡＮ側の仮想回線３の状況を監視し、ＷＡＮ側の仮想回線３の帯域を取得する。
【００１７】
記憶部１４は、複数のＱｏＳテーブルを記憶している。各ＱｏＳテーブルには、ＬＡＮ側からＷＡＮ側へ伝送されるデータに対してトラフィック優先制御を行うための設定情報が格納されている。実施の形態１では、４本の物理回線３１，３２，３３，３４において正常なデータ伝送を行うことができる状態であれば、ＷＡＮ側の仮想回線３の帯域は４００Ｍｂｐｓである。いずれか１本の物理回線が回線障害等によりデータ伝送を行えない状態であれば、ＷＡＮ側の仮想回線３の帯域は３００Ｍｂｐｓである。
【００１８】
また、いずれか２本または３本の物理回線に回線障害等が発生した場合には、ＷＡＮ側の仮想回線３の帯域はそれぞれ２００Ｍｂｐｓまたは１００Ｍｂｐｓである。従って、記憶部１４には、ＷＡＮ側の仮想回線３の帯域が４００Ｍｂｐｓ、３００Ｍｂｐｓ、２００Ｍｂｐｓおよび１００Ｍｂｐｓのときのトラフィック優先制御の設定情報を格納した４００Ｍｂｐｓ用ＱｏＳテーブル１４１、３００Ｍｂｐｓ用ＱｏＳテーブル１４２、２００Ｍｂｐｓ用ＱｏＳテーブル１４３および１００Ｍｂｐｓ用ＱｏＳテーブル１４４が記憶されている。
【００１９】
図２および図３に、それぞれ４００Ｍｂｐｓ用ＱｏＳテーブル１４１および３００Ｍｂｐｓ用ＱｏＳテーブル１４２の一例を示す。例示した各ＱｏＳテーブル１４１，１４２において、ＱｏＳクラスは、トラフィックの優先度を表している。例えば、ＱｏＳクラスが「０」のトラフィックは最優先であり、「１」のトラフィックは高優先であり、「２」のトラフィックは優先である。
【００２０】
４００Ｍｂｐｓ用ＱｏＳテーブル１４１では、すべてのトラフィックの合計が４００Ｍｂｐｓとなるように設定される。また、３００Ｍｂｐｓ用ＱｏＳテーブル１４２では、すべてのトラフィックの合計が３００Ｍｂｐｓとなるように設定される。図示省略するが、２００Ｍｂｐｓ用ＱｏＳテーブル１４３および１００Ｍｂｐｓ用ＱｏＳテーブル１４４についても同様である。
【００２１】
ＱｏＳ制御部１５は、記憶部１４に記憶された複数のＱｏＳテーブル１４１，１４２，１４３，１４４の中から、監視部１３により取得されたＷＡＮ側の仮想回線３の帯域に対応するＱｏＳテーブルを選択する。すなわち、ＱｏＳ制御部１５は、ＷＡＮ側の仮想回線３の帯域が４００Ｍｂｐｓ、３００Ｍｂｐｓ、２００Ｍｂｐｓまたは１００Ｍｂｐｓのときにそれぞれ４００Ｍｂｐｓ用ＱｏＳテーブル１４１、３００Ｍｂｐｓ用ＱｏＳテーブル１４２、２００Ｍｂｐｓ用ＱｏＳテーブル１４３または１００Ｍｂｐｓ用ＱｏＳテーブル１４４を選択する。
【００２２】
そして、ＱｏＳ制御部１５は、選択したＱｏＳテーブルに格納されている設定情報に基づいて、ＬＡＮ側からＷＡＮ側へ伝送されるデータに対してトラフィック優先制御を行う。多重／分離部１６は、ＱｏＳ制御部１５を介してＬＡＮ側インタフェース１１から入力されたデータを複数回線に分離してＷＡＮ側インタフェース１２に出力する。また、多重／分離部１６は、ＷＡＮ側インタフェース１２の４つのインタフェース１２１，１２２，１２３，１２４から入力されたデータを多重化し、ＱｏＳ制御部１５を介してＬＡＮ側インタフェース１１に出力する。
【００２３】
次に、伝送装置１の動作について説明する。図４は、伝送装置のＱｏＳ制御処理手順を示すフローチャートである。また、図５および図６は、それぞれ伝送装置のＱｏＳ制御処理を説明するための説明図である。図５および図６において、伝送装置Ａと伝送装置Ｂは、上述した伝送装置１と同じものである。また、図５および図６において、ＩＰネットワーク４はＬＡＮのことである。
【００２４】
ＱｏＳ制御処理では、監視部１３は、常にＷＡＮ側の仮想回線３を監視し、その仮想回線３に障害が発生したか否かを判断する（ステップＳ１）。障害が発生していない場合（ステップＳ１：Ｎｏ）には、ＱｏＳ制御部１５は、多重／分離部１６においてパケット処理中であるか否かを判断する（ステップＳ２）。
【００２５】
パケット処理中の場合（ステップＳ２：Ｙｅｓ）には、その処理が終了するまで待機する。パケット処理中でなければ（ステップＳ２：Ｎｏ）、ＱｏＳ制御部１５は、記憶部１４から４００Ｍｂｐｓ用ＱｏＳテーブル１４１を読み出し、そのテーブルに格納されている設定情報に基づいて、ＱｏＳ処理を行う（ステップＳ３）。そして、ステップＳ１に戻り、障害の発生の有無を監視する。
【００２６】
ステップＳ１で、ＷＡＮ側の仮想回線３に障害が発生したと判断した場合（ステップＳ１：Ｙｅｓ）には、監視部１３は、ＷＡＮ側の仮想回線３の帯域を算出し、その帯域が変化したか否かを判断する（ステップＳ４）。ＷＡＮ側の仮想回線３の帯域が変化していない場合（ステップＳ４：Ｎｏ）には、ステップＳ２へ進む。図５には、ここまでの様子が示されている。
【００２７】
ステップＳ４で、ＷＡＮ側の仮想回線３の帯域が変化したと判断した場合（ステップＳ４：Ｙｅｓ）には、監視部１３は、ＷＡＮ側の仮想回線３の帯域を算出する。例えば、ＷＡＮの４本の物理回線のうちの１本でデータの伝送ができない状態になったとする。この場合、ＷＡＮ側の仮想回線３の帯域は、３００Ｍｂｐｓである。従って、監視部１３は、ＱｏＳ制御部１５にＷＡＮ側の仮想回線３の帯域が３００Ｍｂｐｓであることを通知する。
【００２８】
ＱｏＳ制御部１５は、監視部１３から通知された新たな帯域に対応するＱｏＳテーブル、すなわち３００Ｍｂｐｓ用ＱｏＳテーブル１４２を読み出す（ステップＳ５）。そして、ＱｏＳ制御部１５は、パケット処理が終了するのを待ち（ステップＳ２：Ｙｅｓ）、パケット処理が終了したら（ステップＳ２：Ｎｏ）、３００Ｍｂｐｓ用ＱｏＳテーブル１４２に格納されている設定情報に基づいて、ＱｏＳ処理を行う（ステップＳ３）。図６には、ここまでの様子が示されている。そして、ステップＳ１に戻り、再び、障害の発生の有無を監視する。なお、ステップＳ１は無くても良い。その場合には、図４の処理フローはステップＳ４からスタートすることになり、監視部１３は障害有無に関わらず帯域変化のみを検知することになる。
【００２９】
実施の形態１によれば、種々の帯域に対応したＱｏＳテーブル１４１，１４２，１４３，１４４が記憶されており、ＷＡＮ側の物理回線３１，３２，３３，３４に障害等が発生してＷＡＮ側の仮想回線３の帯域が減少した場合に、新たにＷＡＮ側の仮想回線３の帯域を求め、その帯域に応じたＱｏＳテーブルを用いることによって、変化した帯域に適したトラフィック優先制御を行うことができる。従って、ＷＡＮ側の仮想回線３の帯域が減少しても、伝送遅延やパケット欠けを発生させることなく、ＬＡＮ側からＷＡＮ側へデータを伝送させることができる。
【００３０】
なお、実施の形態１において、ＷＡＮの各物理配線の帯域は、１００Ｍｂｐｓに限らず、例えば６Ｍｂｐｓや１．５Ｍｂｐｓなど、種々の値を取り得る。また、ＷＡＮの各物理配線の帯域は同じでなくてもよい。例えば、１００Ｍｂｐｓと６Ｍｂｐｓと１．５Ｍｂｐｓが混ざっていてもよい。さらに、ＷＡＮの物理配線の数は、４本に限らず、２本もしくは３本、または５本以上でもよい。また、実施の形態１は、リンクアグリゲーションに限らず、ＩＰ変換器などのように、回線障害やＰＫＧ障害によりＷＡＮ側の使用可能な帯域が変化するようなネットワークに適用できる。
【００３１】
（実施の形態２）
実施の形態２は、本発明の伝送装置を、リング型通信網に接続されるＲＰＲ（Ｒｅｓｉｌｉｅｎｔ  Ｐａｃｋｅｔ  Ｒｉｎｇ）装置に適用したものである。図７は、本発明の実施の形態２にかかる伝送装置の構成を示す構成図である。図７に示すように、伝送装置６は、ＬＡＮ側インタフェース６１、ＷＡＮ側インタフェース６２、監視部６３、記憶部６４およびＱｏＳ制御部６５を備えている。
【００３２】
ＬＡＮ側インタフェース６１は、ＬＡＮ側の回線７に対するインタフェースであり、ＬＡＮ側の回線７との間でデータの授受を行う。ＬＡＮがイーサネット（登録商標）で構築されている場合には、ＬＡＮ側インタフェース６１はイーサネット（登録商標）インタフェースとなる。
【００３３】
ＷＡＮ側インタフェース６２は、ＷＡＮ側の回線８，９に対するインタフェースであり、ＷＡＮ側の回線８，９との間でデータの授受を行う。これらＷＡＮ側の回線８，９は、リング型通信網の２系統の通信ルート、すなわち正の向きと逆の向き（または、上りと下り）の通信ルートの一部を構成している。
【００３４】
監視部６３は、リング型通信網の２系統の通信ルートの状況を監視する。そして監視部６３は、ＷＡＮのトポロジがリング型とカスケード型のいずれであるかを認識する。ＷＡＮの２系統の通信ルートがともに正常である場合には、ＷＡＮのトポロジはリング型になる。ＷＡＮの１系統の通信ルートが正常で、他の１系統の通信ルートが異常である場合には、ＷＡＮのトポロジはカスケード型になる。
【００３５】
記憶部６４は、複数のＱｏＳテーブルを記憶している。ここでは、記憶部６４には、ＷＡＮのトポロジがリング型である場合にトラフィック優先制御を行うための設定情報を格納したリング型網用ＱｏＳテーブル６４１と、ＷＡＮのトポロジがカスケード型である場合にトラフィック優先制御を行うための設定情報を格納したカスケード型網用ＱｏＳテーブル６４２が記憶されている。
【００３６】
図８および図９に、それぞれリング型網用ＱｏＳテーブル６４１およびカスケード型網用ＱｏＳテーブル６４２の一例を示す。リング型網用ＱｏＳテーブル６４１では、すべてのトラフィックの合計がＷＡＮの帯域の２倍となるように設定される。また、カスケード型網用ＱｏＳテーブル６４２では、すべてのトラフィックの合計がＷＡＮの帯域の１倍となるように設定される。
【００３７】
ＱｏＳ制御部６５は、記憶部６４に記憶された複数のＱｏＳテーブル６４１，６４２の中から、ＷＡＮのトポロジがリング型であるときにリング型網用ＱｏＳテーブル６４１を選択し、カスケード型であるときにカスケード型網用ＱｏＳテーブル６４２を選択する。そして、ＱｏＳ制御部６５は、選択したＱｏＳテーブルに格納されている設定情報に基づいて、ＬＡＮ側からＷＡＮ側へ伝送されるデータに対してトラフィック優先制御を行う。
【００３８】
次に、伝送装置６の動作について説明する。図１０は、伝送装置のＱｏＳ制御処理手順を示すフローチャートである。また、図１１および図１２は、それぞれ伝送装置のＱｏＳ制御処理を説明するための説明図である。ここでは、一例として、４つのＲＰＲ装置６０１，６０２，６０３，６０４がこの順に右回りでリング型のＷＡＮ６０８に接続されている場合について説明する。図１１および図１２において、第１のＲＰＲ６０１、第２のＲＰＲ６０２、第３のＲＰＲ６０３および第４のＲＰＲ６０４は、上述した伝送装置６と同じものである。
【００３９】
ＱｏＳ制御処理では、監視部６３は、常にＷＡＮ６０８を監視し、回線に障害などが発生したことによってＷＡＮ６０８のトポロジがリング型からカスケード型に変化したか否かを判断する（ステップＳ１１）。トポロジが変化していない場合（ステップＳ１１：Ｎｏ）には、ＱｏＳ制御部６５は、ＱｏＳ処理中であるか否かを判断する（ステップＳ１２）。
【００４０】
ＱｏＳ処理中の場合（ステップＳ１２：Ｙｅｓ）には、その処理が終了するまで待機する。ＱｏＳ処理中でなければ（ステップＳ１２：Ｎｏ）、ＱｏＳ制御部６５は、記憶部６４からリング型網用ＱｏＳテーブル６４１を読み出し、そのテーブルに格納されている設定情報に基づいて、ＱｏＳ処理を行う（ステップＳ１３）。図１１には、ここまでの様子が示されている。そして、ステップＳ１１に戻り、トポロジの変化の有無を監視する。
【００４１】
ステップＳ１１で、ＷＡＮ６０８のトポロジがリング型からカスケード型に変化したと判断した場合（ステップＳ１１：Ｙｅｓ）には、監視部６３は、ＷＡＮ６０８の帯域を算出し、その帯域とＷＡＮ６０８のトポロジがカスケード型であることをＱｏＳ制御部６５に通知する。ＱｏＳ制御部６５は、監視部６３から通知された新たな帯域とＷＡＮ６０８のトポロジに対応するＱｏＳテーブル、すなわちカスケード型網用ＱｏＳテーブル６４２を読み出す（ステップＳ１４）。
【００４２】
そして、ＱｏＳ制御部６５は、ＱｏＳ処理が終了するのを待ち（ステップＳ１２：Ｙｅｓ）、ＱｏＳ処理が終了したら（ステップＳ１２：Ｎｏ）、カスケード型網用ＱｏＳテーブル６４２に格納されている設定情報に基づいて、ＱｏＳ処理を行う（ステップＳ１３）。図１２には、ここまでの様子が示されている。そして、ステップＳ１１に戻り、再び、トポロジの変化の有無を監視する。
【００４３】
一例として、図１１では、トラフィックＤ１は、第１のＲＰＲ６０１から第２のＲＰＲ６０２へ右回りで至る。トラフィックＤ２は、第１のＲＰＲ６０１から第４のＲＰＲ６０４へ左回りで至る。トラフィックＤ３は、第１のＲＰＲ６０１から第４のＲＰＲ６０４を経由して第３のＲＰＲ６０３へ左回りで至る。これらＤ１〜Ｄ３のトラフィックは、リング型網用ＱｏＳテーブル６４１に基づいて優先制御されている。
【００４４】
それに対して、図１２では、第１のＲＰＲ６０１と第４のＲＰＲ６０４の間でＷＡＮ６０８の回線に障害等が発生し、それによって第１のＲＰＲ６０１と第４のＲＰＲ６０４の間でデータの伝送ができない状態になっている。そして、トラフィックＤ１は、第１のＲＰＲ６０１から第２のＲＰＲ６０２へ右回りで至る。
【００４５】
トラフィックＤ２は、第１のＲＰＲ６０１から第２のＲＰＲ６０２および第３のＲＰＲ６０３をこの順に経由して第４のＲＰＲ６０４へ右回りで至る。トラフィックＤ３は、第１のＲＰＲ６０１から第２のＲＰＲ６０２を経由して第３のＲＰＲ６０３へ右回りで至る。これらＤ１〜Ｄ３のトラフィックは、カスケード型網用ＱｏＳテーブル６４２に基づいて優先制御されている。
【００４６】
実施の形態２によれば、リング型網に対応したＱｏＳテーブル６４１とカスケード型網に対応したＱｏＳテーブル６４２が記憶されており、ＷＡＮのトポロジがリング型からカスケード型に移行し、一方向にのみデータの伝送が可能な状態になった場合に、カスケード型網用ＱｏＳテーブル６４２に切り替えることによって、カスケード型の通信網に適したトラフィック優先制御を行うことができる。従って、トポロジが変化しても、伝送遅延やパケット欠けを発生させることなく、ＬＡＮ側からＷＡＮ側へデータを伝送させることができる。
【００４７】
以上において本発明は、上述した実施の形態１または２に限らず、種々変更可能である。例えば、ＱｏＳテーブルの切り替えを行うトリガを以下のようにしてもよい。監視部１３，６３が、上位プロトコルでパケットの再送処理を実施しているときのパケットの再送率の情報を取得し、ＱｏＳ制御部１５，６５が、パケットの再送率に応じて、テーブルの切り替えを行うようにしてもよい。また、監視部１３，６３が、ストリームパケットの受信側エラー率の情報を取得し、ＱｏＳ制御部１５，６５が、ストリームパケットの受信側エラー率に応じて、テーブルの切り替えを行うようにしてもよい。
【００４８】
さらに、監視部１３，６３が、ストリームパケットが受信側に到着するまでの時間の揺らぎの情報を取得し、ＱｏＳ制御部１５，６５が、ストリームパケットが受信側に到着するまでの時間の揺らぎに応じて、テーブルの切り替えを行うようにしてもよい。さらにまた、ＱｏＳ制御部１５，６５が、時刻によってトラフィック量が変化する場合の時刻、日付または曜日に応じて、テーブルの切り替えを行うようにしてもよい。
【００４９】
（付記１）構内通信網から広域通信網へデータを伝送する伝送装置であって、構内通信網からデータを受信する構内通信網側インタフェースと、広域通信網へデータを送信する広域通信網側インタフェースと、広域通信網の情報を取得する監視部と、トラフィック優先制御を行うための設定情報を格納する複数のテーブルを記憶した記憶部と、前記記憶部に記憶された複数のテーブルの中から、前記監視部の取得情報に対応するテーブルを選択し、該テーブルに基づいて、前記構内通信網側インタフェースから前記広域通信網側インタフェースへ送られるデータに対して、トラフィック優先制御を行うＱｏＳ制御部と、を備えることを特徴とする伝送装置。
【００５０】
（付記２）前記広域通信網は、複数の物理回線を有し、前記広域通信網側インタフェースは、複数の前記物理回線を束ねて仮想的に１本の大容量帯域の回線として扱うことを特徴とする付記１に記載の伝送装置。
【００５１】
（付記３）前記記憶部には、複数の前記物理回線と同数のテーブルが記憶されていることを特徴とする付記２に記載の伝送装置。
【００５２】
（付記４）前記記憶部には、複数の前記物理回線のうちの１本または２本以上の物理回線の組み合わせにより実現される仮想的な回線の帯域に対応するテーブルが記憶されていることを特徴とする付記２に記載の伝送装置。
【００５３】
（付記５）前記監視部は、前記物理回線の変化した仮想的な回線の帯域の情報を取得し、前記ＱｏＳ制御部は、前記広域通信網の帯域が変化したときに、テーブルの切り替えを行うことを特徴とする付記３または４に記載の伝送装置。
【００５４】
（付記６）前記広域通信網は、相反する向きにデータを転送可能なリング型通信網であり、前記広域通信網側インタフェースは、前記リング型通信網に対して正逆いずれの向きにもデータを出力することを特徴とする付記１に記載の伝送装置。
【００５５】
（付記７）前記記憶部には、前記リング型通信網のトポロジの種類に対応するテーブルが記憶されていることを特徴とする付記６に記載の伝送装置。
【００５６】
（付記８）前記監視部は、前記広域通信網の回線の障害によって変化した前記リング型通信網のトポロジの情報を取得し、前記ＱｏＳ制御部は、前記リング型通信網のトポロジがリング型からカスケード型に変化したときに、テーブルの切り替えを行うことを特徴とする付記７に記載の伝送装置。
【００５７】
（付記９）前記監視部は、上位プロトコルでパケットの再送処理を実施しているときのパケットの再送率の情報を取得し、前記ＱｏＳ制御部は、パケットの再送率に応じて、テーブルの切り替えを行うことを特徴とする付記２〜８のいずれか一つに記載の伝送装置。
【００５８】
（付記１０）前記監視部は、ストリームパケットの受信側エラー率の情報を取得し、前記ＱｏＳ制御部は、ストリームパケットの受信側エラー率に応じて、テーブルの切り替えを行うことを特徴とする付記２〜８のいずれか一つに記載の伝送装置。
【００５９】
（付記１１）前記監視部は、ストリームパケットが受信側に到着するまでの時間の揺らぎの情報を取得し、前記ＱｏＳ制御部は、ストリームパケットが受信側に到着するまでの時間の揺らぎに応じて、テーブルの切り替えを行うことを特徴とする付記２〜８のいずれか一つに記載の伝送装置。
【００６０】
（付記１２）前記ＱｏＳ制御部は、時刻によってトラフィック量が変化する場合の時刻、日付または曜日に応じて、テーブルの切り替えを行うことを特徴とする付記２〜８のいずれか一つに記載の伝送装置。
【産業上の利用可能性】
【００６１】
以上のように、本発明にかかる伝送装置は、ＷＡＮ側の回線の帯域が変化するようなネットワークにおいてＷＡＮ側とＬＡＮ側を接続する伝送装置に有用であり、特に、複数の物理回線を束ねて仮想的に１本の大容量帯域の回線として扱うリンクアグリゲーションなどにおいて、ＷＡＮ側とＬＡＮ側を接続する伝送装置に適している。
【図面の簡単な説明】
【００６２】
【図１】本発明の実施の形態１にかかる伝送装置の構成図である。
【図２】実施の形態１のＱｏＳテーブルの説明図である。
【図３】実施の形態１のＱｏＳテーブルの説明図である。
【図４】実施の形態１のＱｏＳ制御処理手順を示すフローチャートである。
【図５】実施の形態１のＱｏＳ制御処理の説明図である。
【図６】実施の形態１のＱｏＳ制御処理の説明図である。
【図７】本発明の実施の形態２にかかる伝送装置の構成図である。
【図８】実施の形態２のＱｏＳテーブルの説明図である。
【図９】実施の形態２のＱｏＳテーブルの説明図である。
【図１０】実施の形態２のＱｏＳ制御処理手順を示すフローチャートである。
【図１１】実施の形態２のＱｏＳ制御処理の説明図である。
【図１２】実施の形態２のＱｏＳ制御処理の説明図である。
【符号の説明】
【００６３】
１，６  伝送装置
３  仮想回線
４  構内通信網
１１，６１  ＬＡＮ側インタフェース
１２，６２  ＷＡＮ側インタフェース
１３，６３  監視部
１４，６４  記憶部
１５，６５  ＱｏＳ制御部
３１，３２，３３，３４  物理回線
１４１，１４２，１４３，１４４，６４１，６４２  テーブル
６０８  ＷＡＮ
【図１】
2007116284.tif 000003
【図２】
2007116284.tif 000004
【図３】
2007116284.tif 000005
【図４】
2007116284.tif 000006
【図５】
2007116284.tif 000007
【図６】
2007116284.tif 000008
【図７】
2007116284.tif 000009
【図８】
2007116284.tif 000010
【図９】
2007116284.tif 000011
【図１０】
2007116284.tif 000012
【図１１】
2007116284.tif 000013
【図１２】
2007116284.tif 000014